(57)【特許請求の範囲】
【請求項１】
その入力端子（１１、１２）に印加される第一の電圧を少なくとも一つの電子回路（２）に印加される第二の直流電圧に変換する熱回収を伴うエネルギー変換システム（４）であって、少なくとも前記エネルギー変換システム（４）に含まれる第一の電子デバイスおよび前記電子回路（２）の動作中に発生した熱エネルギーを、直流−直流エネルギー変換手段（８）に印加される第三の直流電圧に変換する熱電手段（３）を更に備え、直流−直流エネルギー変換手段（８）が、第三の直流電圧を電子回路（２）に印加される第四の直流電圧に適合させ、直流−直流エネルギー変換手段（８）が、第三の直流電圧が所定の値になるように前記エネルギー変換手段（８）の動作を調整する制御手段を備え、直流−直流エネルギー変換手段によって放出された電力が、電子回路（２）の各動作モードごとに、制御手段によって決定された値をとることを特徴とするエネルギー変換システム（４）。
【請求項２】
直流−直流エネルギー変換手段（８）が、少なくとも前記エネルギー変換システム（４）の第一の電子デバイスを共有することを特徴とする請求項１に記載のエネルギー変換システム（４）。
【発明の詳細な説明】
【０００１】
【発明の属する技術分野】
本発明は、電気通信システムを構成する電子回路に電気エネルギーを供給するエネルギー変換システムに関する。さらに、前記エネルギー変換システムは、前記変換システムならびに前記回路によってそれらの正常動作中に発生した熱を回収し、前記熱を電気エネルギーに変換し、この電気エネルギーが再び前記回路に供給され、全体的なエネルギー効率が向上する。
【０００２】
【従来の技術】
電気通信システムは、様々な電子回路がそこにアセンブルされた様々なプリント回路基板を備える。前記回路は、それらの動作のために、少なくとも一つのエネルギー変換システム、例えば、前記回路に必要な特性を有する直流電気エネルギーを供給する電力変換器によって供給される電気エネルギーを必要とする。
【０００３】
エネルギー変換システムおよび電子回路の正常動作中、電気エネルギーの一部分は消費され、他の部分は損失される。前記損失は、通常、大きくかつ高価な放熱器によって熱として放散される。
【０００４】
前記電気通信システムの正常動作中に発生した熱は、前記電気通信システムから排出されなければならない。さもなければ、十分高い温度に達して、前記回路の正常動作を妨げる可能性がある。
【０００５】
前記システムの設計過程中、プリント回路基板は、その動作中に発生した熱の抽出が容易になるように分配され、前記設計が時々複雑になる。しかしながら、この熱エネルギーは、いずれにせよ失われる。
【０００６】
さらに、冷却システム、例えば、前記基板間を循環し、かつ放熱器フィン中を縦に流れるエアジェットを注入し、このようにして前記熱エネルギーの抽出を容易にする強制換気システムを使用しなければならなくなる。
【０００７】
近年、電子回路の機能が増大し、その結果、電気エネルギーの消費が動作中に発生する熱の増加をもたらした。したがって、供給される電気エネルギーのうち、熱として失われる部分が増大した。
【０００８】
【発明が解決しようとする課題】
本発明の主要な目的は、少なくとも一つの電子回路に電気エネルギーを供給する熱回収を伴うエネルギー変換システムを提供することであり、それにより前記回路からエネルギー供給ネットワークに要求される電気エネルギーの消費量が減少し、したがって全体的なエネルギー効率が向上する。
【０００９】
【課題を解決するための手段】
電気エネルギー変換システムは、エネルギー供給ネットワークによって供給される第一の電圧を、電気的負荷を構成する少なくとも一つの電子回路に供給される第二の直流電圧に変換する。
【００１０】
熱電手段は、前記変換システムの少なくとも一つの電子回路およびその電気的負荷が正常動作中に発生する熱を電気エネルギーに変換する。
【００１１】
したがって、熱電手段は、前記電子回路に供給される第二の直流電圧を発生させる。その結果、エネルギー変換システムから、したがってエネルギー供給ネットワークから前記回路によって要求される電気エネルギーの量が減少し、したがって全体的なエネルギー効率が向上する。
【００１２】
他の目的は、最高温度に達する電子回路上に組み立てられた受動冷却手段、例えば放熱器の寸法を縮小することである。したがって、エネルギー変換システムおよび電子回路の全体的な寸法および重量が小さくなる。
【００１３】
他の目的は、放散すべき熱がより少ないので、能動冷却システム、例えば空冷システムの消費を減少させることである。一般に、本願の電気通信システムは、その熱応力およびその電気エネルギーの消費を低減する。
【００１４】
本発明について、添付の図面を参照しながらより詳細に説明する。
【００１５】
【発明の実施の形態】
図１に示すように、熱回収を伴う電気エネルギー変換システム４は、エネルギー供給ネットワークに接続され、（図２に示される）入力端子１１、１２に印加される第一の電圧を第二の直流電圧に変換する。前記変換システム４は、少なくとも一つの第一の電子デバイスを備える。
【００１６】
第二の直流電圧は、少なくとも一つの電子回路２、例えば電気的負荷を構成する集積回路に印加される。
【００１７】
好ましい実施形態についてよりよく説明するために、以下では、電気エネルギー変換システム４と集積回路２が同じプリント回路基板１上に組み立てられ、かつそれらが互いに極めて近接していることを考慮されたい。ただし、本発明の使用をこの好ましい実施形態に限定しない。
【００１８】
図２を参照すると、エネルギー変換システム４は、エネルギー変換システム４および集積回路２の正常動作中に発生した熱を前記回路２に印加される第三の直流電圧に変換する熱電手段３を備える。
【００１９】
第三の直流電圧は、例えば、第二の直流電圧と異なる特性を有する。第三の電圧の特性を第二の直流電圧の特性に適合させるために、図４に示すように、熱電手段３は直流−直流エネルギー変換手段８に接続される。
【００２０】
エネルギー変換手段８は、第三の電圧を、その特性が変換システム４に接続された第二の直流電圧と同じである第四の直流電圧に適合させる。前記変換手段８は、少なくとも一つの第二の電子デバイスを備える。
【００２１】
また、直流−直流エネルギー変換手段８は、第三の直流電圧が所定の値になり、したがって熱電手段およびエネルギー変換手段８によって形成されたアセンブリによって与えられる性能および電力が最適になるように、その動作を調整する制御装置を備えている。
【００２２】
熱流は、集積回路２のタイプおよびそれらの動作モードによって異なり、したがって制御手段は、例えば、集積回路２の各動作モードごとに最大の電力を供給することによって、エネルギー変換手段８を異なる動作モードで動作させるが、最大性能は得られない。
【００２３】
図１に示すように、熱電手段３は、それらが変換システム４、またそれらの動作中に最も高温に達する回路または電子回路２の正常動作中に発生する熱を収集するように配置される。
【００２４】
図３を参照すると、熱電手段３は、第一の表面１０（熱い）および第二の表面９（冷たい）を備え、それらの表面間には、例えばＮ型およびＰ型のドープされた熱電要素Ｎ、Ｐ要素が取り付けられる。熱電要素は、例えば電気的に直列に接続され、かつ熱的に並列に接続される。
【００２５】
第一の表面１０は、エネルギー変換システム４および／または集積回路２と熱接触し、また第二の表面９は、例えば放熱器５と熱接触する。好ましい実施形態では、熱電手段３は、例えば、一方が電気エネルギー変換システム４と接触し、他方が集積回路２と接触する二つの部分に分割される。
【００２６】
エネルギー変換システム４および集積回路２の正常動作中に発生する熱は、伝導によって放熱器５に到達し、対流および輻射によって大気中に移る。放熱器５と大気との間の熱交換を助けるために、冷却システム（図示せず）が前記放熱器５を通過する空気流を発生させる。
【００２７】
熱電手段３は、第一の表面１０と第二の表面９との間に熱差Ｔがあるときに第三の直流電圧を発生させる。図２に示すように、熱電手段３は、電源６および抵抗７を備える等価電気回路を有する。
【００２８】
前記熱電手段によって発生した電力は、第一の表面１０と第二の表面９との間の熱差Ｔに従って変化する。前記差Ｔは、変換システム４および集積回路２の動作条件に従って変化する。すなわち、前記集積回路２の消費量が大きければ大きいほど、エネルギー変換システム４の消費量も大きくなり、その結果、発生する熱、したがって熱電手段３によって得られる電気エネルギーが大きくなる。
【００２９】
しかしながら、同じ動作条件および熱流に対して、熱電手段３の得られる電力および性能が変化することがある。
【００３０】
熱電手段３の最大の性能を得るために、それらの設計に注意しなければならない。したがって、最適化は、使用される材料、第一の表面１０および第二の表面９の寸法、またはそれらの間の間隔に影響を及ぼす。例えば、第一の表面１０と第二の表面９との間の間隔を大きくすることによってよりよい性能が得られている。
【００３１】
図５に、変換システム４および変換手段８の他の実施形態を示す。第四の直流電圧は、変換システム４の入力端子１１、１２に印加される。
【００３２】
説明したいずれの実施形態においても、エネルギー変換手段８をエネルギー変換システム４中に全部または一部組み込む、すなわち、両方が共通の電子デバイス、例えば第一の電子デバイスを有することによって熱回収を伴うエネルギー変換システム４のよりよい最適化が得られる。また、熱回収を伴うエネルギー変換システム４の全体的なコストの削減が得られる。
【図面の簡単な説明】
【図１】本発明によるプリント回路基板の斜視図である。
【図２】本発明による一実施形態の電気回路を示す図である。
【図３】本発明による熱電手段を示す図である。
【図４】本発明による熱電手段と直流−直流エネルギー変換手段との間の電気接続を示す本発明の電気回路を示す図である。
【図５】本発明による他の実施形態の電気回路を示す図である。
【符号の説明】
１  プリント回路基板
２  電子回路
３  熱電手段
４  電気エネルギー変換システム
５  放熱器
６  電源
７  抵抗
８  直流−直流エネルギー変換手段
９  第二の表面
１０  第一の表面
１１、１２  入力端子
【図１】
0004605830.tif 000002
【図２】
0004605830.tif 000003
【図３】
0004605830.tif 000004
【図４】
0004605830.tif 000005
【図５】
0004605830.tif 000006